(57)【要約】【課題】筆記面上に情報表示媒体を保持するだけで各種の設定処理等を実行することができるような使い勝手の良い装置を提供する。【解決手段】情報表示媒体Ｓ１を筆記面上に保持し、この情報表示媒体Ｓ１に形成されたコードシンボル４０をコードシンボル読取装置により読み取った場合には、コードシンボル４０に格納された識別情報が所定の処理動作（例えば、当該装置に関する設定値の変更等）に対応付けられているか否かを判断し、読み取られたコードシンボル４０の識別情報が所定の処理動作に対応付けられていると判断した場合には、当該識別情報に対応付けられている所定の処理動作（例えば、当該装置に関する設定値の変更等）を実行する。これにより、筆記面上に情報表示媒体Ｓ１を保持するだけで所定の処理動作（例えば、当該装置に関する設定値の変更等）を実行することができるので、使い勝手の良い装置を提供することができる。【選択図】        図１２
2005037981.tif 000002
【特許請求の範囲】
【請求項１】
筆記装置の移動に伴う筆記情報を電子化する情報入力装置において、
識別情報を格納したコードシンボルが付されたシート状の情報表示媒体を保持し、前記筆記装置の移動を許容する筆記面と、
前記コードシンボルを光学的に読み取り可能なコードシンボル読取装置と、
前記筆記面上に保持された前記情報表示媒体に形成された前記コードシンボルを、前記コードシンボル読取装置を用いて読み取るコードシンボル読取手段と、
このコードシンボル読取手段により読み取られた前記情報表示媒体に形成された前記コードシンボルに格納された前記識別情報が所定の処理動作に対応付けられているか否かを判断する判断手段と、
この判断手段により読み取った前記識別情報が所定の処理動作に対応付けられていると判断した場合、当該識別情報に対応付けられている所定の処理動作を実行する処理動作実行手段と、
を備えることを特徴とする情報入力装置。
【請求項２】
前記処理動作実行手段により実行される前記識別情報に対応付けられている所定の処理動作は、当該装置に関する設定値を変更する設定値変更処理である、
ことを特徴とする請求項１記載の情報入力装置。
【請求項３】
前記設定値変更処理により変更される設定値は前記識別情報により一義的に決定される、
ことを特徴とする請求項２記載の情報入力装置。
【請求項４】
前記設定値変更処理により変更される設定値は前記識別情報により複数の設定値が選択可能とされており、前記筆記面上での前記情報表示媒体に対する筆記情報に応じて設定値が決定される、
ことを特徴とする請求項２記載の情報入力装置。
【請求項５】
前記処理動作実行手段により実行される前記識別情報に対応付けられている所定の処理動作は、当該装置を使用する使用者情報を入力する使用者情報入力処理である、
ことを特徴とする請求項１記載の情報入力装置。
【請求項６】
前記使用者情報入力処理により入力される使用者情報は前記識別情報により一義的に決定される、
ことを特徴とする請求項５記載の情報入力装置。
【請求項７】
前記使用者情報入力処理により入力される使用者情報は前記識別情報により複数の使用者情報が選択可能とされており、前記筆記面上での前記情報表示媒体に対する筆記情報に応じて使用者情報が決定される、
ことを特徴とする請求項５記載の情報入力装置。
【請求項８】
前記筆記面上での前記情報表示媒体に対する筆記情報に応じて前記使用者情報入力処理により入力される使用者情報が決定される、
ことを特徴とする請求項５記載の情報入力装置。
【請求項９】
前記使用者情報入力処理により使用者情報が入力されるまで、筆記情報の取得を中止する、
ことを特徴とする請求項５記載の情報入力装置。
【請求項１０】
前記使用者情報入力処理により使用者情報が入力された場合であっても、一定時間が経過した場合には、前記使用者情報入力処理により再度使用者情報の入力を要求する、
ことを特徴とする請求項９記載の情報入力装置。
【請求項１１】
前記使用者情報入力処理により使用者情報が入力された場合であっても、一定時間内に何らかの操作が実行されない場合には、前記使用者情報入力処理により再度使用者情報の入力を要求する、
ことを特徴とする請求項９記載の情報入力装置。
【請求項１２】
前記筆記面上に、前記筆記面である旨を示す識別情報を格納したコードシンボルを付す、
ことを特徴とする請求項１ないし１１のいずれか一記載の情報入力装置。
【請求項１３】
前記コードシンボル読取手段により読み取られた前記コードシンボルの前記識別情報が前記筆記面である旨を示す識別情報であると判断した場合、前記情報表示媒体が保持されていないことに対応した所定の処理動作を実行する第二処理動作実行手段を備える、
ことを特徴とする請求項１２記載の情報入力装置。
【請求項１４】
前記第二処理動作実行手段により実行される所定の処理動作は、筆記情報の取得を中止する座標検出中止処理である、
ことを特徴とする請求項１３記載の情報入力装置。
【請求項１５】
前記第二処理動作実行手段により実行される所定の処理動作は、識別情報読取確認の通知を中止する読取確認通知中止処理である、
ことを特徴とする請求項１３記載の情報入力装置。
【請求項１６】
前記第二処理動作実行手段により実行される所定の処理動作は、装置の休止状態にする休止処理である、
ことを特徴とする請求項１３記載の情報入力装置。
【請求項１７】
シート状に形成され、所定の処理動作が対応付けられている識別情報を格納したコードシンボルが付されている、
ことを特徴とする情報表示媒体。
【発明の詳細な説明】
【０００１】
【発明の属する技術分野】
本発明は、情報入力装置及び情報表示媒体に関する。
【０００２】
【従来の技術】
近年、この種の情報処理システムに関する研究・開発が盛んであり、各種提案もなされている。その１つとして、例えば、本出願人により提案された特許文献１に示されるものがある。これは、文字やイメージなどの各種情報を見られる状態で保存する手法として、従来より利用されている紙（普通の紙）そのものと、ディスプレイ及びメモリを有するコンピュータとの一長一短を解析し、各々の利点をとるようにした提案例である。
【０００３】
図２０及び図２１はその情報処理システムの構成例の一例を示すもので、全体が紙状で各種情報を書替自在に表示して維持する複数の情報表示媒体であるカラーサーモクロミックを画像表示層に用いたデジタルペーパー１００と情報記録装置としてのデジタイザ（タブレット）１０１との組み合わせとして構成されている。即ち、デジタルペーパー１００の画像表示層を構成するロイコ染料と顕色剤とを混合したカラーサーモクロミックは、加熱により透明状態と黒色状態とに可逆的に変化するよう調整されている。この画像表示層が透明な部分では、これと透明な保護フィルムを介してベースフィルムの白色が視認され、画像表示層が黒色に変化した部分では、これが透明な保護フィルムを介して視認される。このため、デジタルペーパー１００には、表面の全域に画像表示面１０２が形成されており、この画像表示面１０２が各種情報を書替自在に表示する。この画像表示面１０２の画像表示は画像表示層の状態変化により実現されるので、情報の表示と消去にはエネルギを消費するが、表示した画像情報の維持にはエネルギを消費しない。
【０００４】
デジタイザ１０１は、図２０に示すように、平板状の本体ボード１０３を有しており、この本体ボード１０３の表面にヒートパネル１０４が設けられている。このヒートパネル１０４は、多数の発熱素子（図示せず）が４００ｄｐｉ  （ｄｏｔ  ｐｅｒ  ｉｎｃｈ）の密度で縦横に配列されており、例えばＡ４判より一回り大きいサイズに形成されている。本体ボード１０３の一端には、透明な入力フィルム１０５が開閉自在に装着されており、この入力フィルム１０５がヒートパネル１０４の表面に位置している。１０６は筆記ペンである。
【０００５】
つまり、上記提案例によれば、デジタルペーパー１００（媒体）にはコンピュータで作成された、或いは、手書き入力された各種情報が何度も書替自在で（つまり、紙のように消費をしない）、その情報はメモリへ蓄積させたり、外部へ出力させたり、外部から入力させたり、コンピュータで処理することが可能なデジタル情報として扱える。
【０００６】
ところが、ユーザビリティの観点から見ると、既に各種情報が書き込まれ、又は、印字された複数枚のデジタルペーパー１００（媒体）を積載させて、その文書上に加筆入力するようなワーキングプロセスの場合（例えば、会議や文書チェック時、創造的活動時等）、図２０に示すような情報処理システムでは、デジタルペーパー１００を１枚ずつデジタイザ１０１上に載せて加筆又は情報の入出力を行い、終わったらそのページ（デジタルペーパー１００）を外して、次の１枚のデジタルペーパー１００を載せて加筆しなくてはならず、極めて面倒である。
【０００７】
また、その際に、デジタルペーパー１００（媒体）上の加筆前情報と加筆後の内容については、メモリチップ等の情報蓄積媒体に蓄積する方法が述べられている。しかし、この方法では、積載させた複数枚のデジタルペーパー１００（媒体）をぱらぱらめくってノート感覚で作業又は仕事をするような状況では、複数枚のデジタルペーパー１００（媒体）の加筆前情報に対してどこのページに何を加筆したかという情報を関連付ける（リンクさせる）ことができない。つまり、デジタイザ１０１上に積載させた複数枚のデジタルペーパー１００に関してその１枚１枚を識別するような手段については言及されていない。
【０００８】
この点、タブレット上に装着された情報表示媒体を識別する方法として、例えば、特許文献２によれば、各媒体毎にその上辺部分にバーコード等の識別情報を印刷しておくとともに、タブレットの上方、例えば、媒体を固定保持するクリップ部分にその識別情報を検知するＩＤ検知手段を付設することが開示されている。
【０００９】
ところが、この方法の場合、実使用を考えると、タブレット上には媒体を１枚しか載せられない。なぜなら、複数枚の媒体を積載させてぱらぱらめくったり戻したりして任意の媒体に対して書き込みを行なうような状況下であっても、ＩＤ検知手段により識別情報が認識されるのは常に最上位の媒体であり、現に書き込みを行なっている途中の媒体に関してはその識別情報の認識が不可能だからである。
【００１０】
すなわち、図２２及び図２３に示すように、あるページを途中までめくりながら次のページに書込みを行なうような作業形態は多いが、バーコード１１０が保持辺部分に印刷され、２次元バーコードリーダ１１１を備えた保持用クリップ１１２により固定保持されているため、ページをめくった場合でも常に最上位の情報表示媒体１１３のバーコード１１０しか認識できない。
【００１１】
そこで、本出願人は、特許文献３において、会議、創造的活動等において、複数枚の情報表示媒体をぱらぱらめくってノート感覚で作業又は仕事するような一般的な状況下に、主にタブレット上に積載された複数枚の情報表示媒体の１枚１枚を確実に識別でき、加筆前情報に対してどこのページに加筆したかという情報をユーザが特に意識せずとも関連付けることができる情報処理システムを提案している。
【００１２】
【特許文献１】
特開平９−１０１８６４号公報
【特許文献２】
特開平７−２００１３４号公報
【特許文献３】
特開２０００−１１２６４６公報
【００１３】
【発明が解決しようとする課題】
ところが、特許文献３で提案されたような情報処理システムによれば、通信ポート（ＲＳ−２３２Ｃ）のボーレート設定等の各種の設定に手間がかかるものとなっており、改善が望まれている。
【００１４】
本発明の目的は、筆記面上に情報表示媒体を保持するだけで各種の設定処理等を実行することができるような使い勝手の良い装置を提供することである。
【００１５】
【課題を解決するための手段】
請求項１記載の発明の情報入力装置は、筆記装置の移動に伴う筆記情報を電子化する情報入力装置において、識別情報を格納したコードシンボルが付されたシート状の情報表示媒体を保持し、前記筆記装置の移動を許容する筆記面と、前記コードシンボルを光学的に読み取り可能なコードシンボル読取装置と、前記筆記面上に保持された前記情報表示媒体に形成された前記コードシンボルを、前記コードシンボル読取装置を用いて読み取るコードシンボル読取手段と、このコードシンボル読取手段により読み取られた前記情報表示媒体に形成された前記コードシンボルに格納された前記識別情報が所定の処理動作に対応付けられているか否かを判断する判断手段と、この判断手段により読み取った前記識別情報が所定の処理動作に対応付けられていると判断した場合、当該識別情報に対応付けられている所定の処理動作を実行する処理動作実行手段と、を備える。
【００１６】
したがって、情報表示媒体が筆記面上に保持され、この情報表示媒体に形成されたコードシンボルがコードシンボル読取装置により読み取られた場合には、コードシンボルに格納された識別情報が所定の処理動作に対応付けられているか否かが判断され、読み取られたコードシンボルの識別情報が所定の処理動作に対応付けられていると判断した場合には、当該識別情報に対応付けられている所定の処理動作が実行される。これにより、筆記面上に情報表示媒体を保持するだけで所定の処理動作を実行することが可能になるので、使い勝手の良い装置を提供することが可能になる。
【００１７】
請求項２記載の発明は、請求項１記載の情報入力装置において、前記処理動作実行手段により実行される前記識別情報に対応付けられている所定の処理動作は、当該装置に関する設定値を変更する設定値変更処理である。
【００１８】
したがって、筆記面上に情報表示媒体を保持させ、この情報表示媒体に形成されたコードシンボルをコードシンボル読取装置に読み取らせるだけで、当該装置に関する設定値を変更することが可能になる。
【００１９】
請求項３記載の発明は、請求項２記載の情報入力装置において、前記設定値変更処理により変更される設定値は前記識別情報により一義的に決定される。
【００２０】
したがって、設定値を確実に変更することが可能になる。
【００２１】
請求項４記載の発明は、請求項２記載の情報入力装置において、前記設定値変更処理により変更される設定値は前記識別情報により複数の設定値が選択可能とされており、前記筆記面上での前記情報表示媒体に対する筆記情報に応じて設定値が決定される。
【００２２】
したがって、設定値を選択的に変更することが可能になる。
【００２３】
請求項５記載の発明は、請求項１記載の情報入力装置において、前記処理動作実行手段により実行される前記識別情報に対応付けられている所定の処理動作は、当該装置を使用する使用者情報を入力する使用者情報入力処理である。
【００２４】
したがって、筆記面上に情報表示媒体を保持させ、この情報表示媒体に形成されたコードシンボルをコードシンボル読取装置に読み取らせるだけで、当該装置を使用する使用者情報を入力することが可能になる。
【００２５】
請求項６記載の発明は、請求項５記載の情報入力装置において、前記使用者情報入力処理により入力される使用者情報は前記識別情報により一義的に決定される。
【００２６】
したがって、使用者情報を確実に入力することが可能になる。
【００２７】
請求項７記載の発明は、請求項５記載の情報入力装置において、前記使用者情報入力処理により入力される使用者情報は前記識別情報により複数の使用者情報が選択可能とされており、前記筆記面上での前記情報表示媒体に対する筆記情報に応じて使用者情報が決定される。
【００２８】
したがって、使用者情報を選択的に入力することが可能になる。
【００２９】
請求項８記載の発明は、請求項５記載の情報入力装置において、前記筆記面上での前記情報表示媒体に対する筆記情報に応じて前記使用者情報入力処理により入力される使用者情報が決定される。
【００３０】
したがって、使用者の氏名が直接筆記されることにより、セキュリティの向上を図ることが可能になる。
【００３１】
請求項９記載の発明は、請求項５記載の情報入力装置において、前記使用者情報入力処理により使用者情報が入力されるまで、筆記情報の取得を中止する。
【００３２】
したがって、誰が筆記したかということを確実に取得することが可能になる。
【００３３】
請求項１０記載の発明は、請求項９記載の情報入力装置において、前記使用者情報入力処理により使用者情報が入力された場合であっても、一定時間が経過した場合には、前記使用者情報入力処理により再度使用者情報の入力を要求する。
【００３４】
したがって、いったん使用者情報を入力した後に放置した場合であっても、別人によるなりすまし使用を防ぐことができる。
【００３５】
請求項１１記載の発明は、請求項９記載の情報入力装置において、前記使用者情報入力処理により使用者情報が入力された場合であっても、一定時間内に何らかの操作が実行されない場合には、前記使用者情報入力処理により再度使用者情報の入力を要求する。
【００３６】
したがって、いったん使用者情報を入力した後に放置した場合であっても、別人によるなりすまし使用を防ぐことが可能になる。
【００３７】
請求項１２記載の発明は、請求項１ないし１１のいずれか一記載の情報入力装置において、前記筆記面上に、前記筆記面である旨を示す識別情報を格納したコードシンボルを付す。
【００３８】
したがって、筆記面上に形成された筆記面である旨を示す識別情報を格納したコードシンボルは、筆記面上に情報表示媒体がない場合に限って読み取られることになるので、例えば情報表示媒体が筆記面上にない場合にまで読み取り失敗についての警告が発せられるような事態を回避することが可能になる。
【００３９】
請求項１３記載の発明は、請求項１２記載の情報入力装置において、前記コードシンボル読取手段により読み取られた前記コードシンボルの前記識別情報が前記筆記面である旨を示す識別情報であると判断した場合、前記情報表示媒体が保持されていないことに対応した所定の処理動作を実行する第二処理動作実行手段を備える。
【００４０】
したがって、読み取られたコードシンボルの識別情報が筆記面である旨を示す識別情報であると判断した場合には、情報表示媒体が保持されていないことに対応した所定の処理動作が実行される。これにより、筆記面上に情報表示媒体が保持されていない場合には情報表示媒体が保持されていないことに対応した所定の処理動作のみを実行することになるので、使い勝手の良い装置を提供することが可能になる。
【００４１】
請求項１４記載の発明は、請求項１３記載の情報入力装置において、前記第二処理動作実行手段により実行される所定の処理動作は、筆記情報の取得を中止する座標検出中止処理である。
【００４２】
したがって、省電力化が図られることになる。
【００４３】
請求項１５記載の発明は、請求項１３記載の情報入力装置において、前記第二処理動作実行手段により実行される所定の処理動作は、識別情報読取確認の通知を中止する読取確認通知中止処理である。
【００４４】
したがって、煩わしさがなくなる。
【００４５】
請求項１６記載の発明は、請求項１３記載の情報入力装置において、前記第二処理動作実行手段により実行される所定の処理動作は、装置の休止状態にする休止処理である。
【００４６】
したがって、省電力化が図られることになる。
【００４７】
請求項１７記載の発明の情報表示媒体は、シート状に形成され、所定の処理動作が対応付けられている識別情報を格納したコードシンボルが付されている。
【００４８】
したがって、このような情報表示媒体を情報入力装置の筆記面上に保持し、この情報表示媒体に形成されたコードシンボルがコードシンボル読取装置により読み取るだけで、情報入力装置で所定の処理動作を実行することが可能になる。
【００４９】
【発明の実施の形態】
本発明の実施の一形態を図１ないし図１９に基づいて説明する。
【００５０】
［１．筆記システム１の構成についての説明］
図１は本実施の形態の情報処理システムとして例示する筆記システム１の概要を示す外観斜視図、図２は図１（ａ）におけるａ−ａ線断面構成図、図３はデジタイザ（タブレット）を示す外観斜視図、図４はハードウェア構成を示すブロック図、図５は２次元コードが印刷された状態の普通紙を示す斜視図である。この筆記システム１は、図１に示すように、文書情報が予め印刷されている情報表示媒体である複数の普通紙２と、情報入力装置を構成する電磁誘導式のデジタイザ（タブレット）３と、筆記装置である手書き入力用の電磁ペン４とにより構成されており、情報蓄積手段である外部のコンピュータ（ＰＣ：Ｐｅｒｓｏｎａｌ  Ｃｏｍｐｕｔｅｒ）５（図４参照）と接続可能とされている。
【００５１】
普通紙２は、文字通り、全体がシート状に形成されたもので、例えば、Ａ４判サイズのものが用いられている。これらの普通紙２には、そのコンピュータ５に格納されている各種文書データが１画面単位で各々プリンタ（図示せず）により予め印刷されているとともに、後述するように、その印刷時にコンピュータ５内の文書の一部であることを示す識別情報が２次元コード６（図５参照）の形態で印刷されている。
【００５２】
ここで、普通紙２に印刷されている識別情報（２次元コード６）について説明する。この２次元コード６は前述したようにその普通紙２に印刷されている表示画像情報がコンピュータ５内の文書の一部であることを示すものであるが、その２次元コード６が表現するものとしては、例えば、文書名、ページ番号、コンピュータ名（ＰＣ名）、そのＩＰアドレス等があり、
￥￥ＰＣ名（ＰＣのＩＰアドレス）￥ドライブ名￥フォルダ名￥文書名￥ページ
のようなディレクトリ構造により、その文書（最小は、１ページ分）の格納してある個所（情報蓄積個所）を一義的に特定し得るものであれば良い。このような２次元コード６が各普通紙２上において、後述する保持用クリップ１２に保持される保持辺２ｕに隣接する左側の隣接辺２Ｌの近傍に図４に示すように印刷されている。
【００５３】
また、識別情報が格納されるコードシンボルとしては、１次元バーコード等であってもよいが、文書ＩＤ用として多種多様にわたる文書を分類する必要があり、１次元バーコード等では分類数が不足してしまうことを考えると、本実施の形態のように格段に容量の大きい２次元コード６を用いることが望ましい。即ち、２次元コード６を用いることにより２０桁程度のコードを生成することができるので、全世界で使用している普通紙の数に対して、各々絶対的な識別番号（例えば、通し番号）を付すこともできる。つまり、一度作成した文書のＩＤ（識別情報）が唯一に固定されるので、世界で１つしかないＩＤが付された文書（世界で１つしかない文書）に設定することができる。また、２次元コード６のようなコードシンボルに関しては、特定の波長の入射光に対して可視域以外の光を反射するように普通紙２上に付すことが好ましい。即ち、可視光以外の光を反射し肉眼では見えないようにすれば、文書のＩＤ情報が第三者により即座に認識されることがなく、セキュリティ性が向上する。同時に、他のＩＤ付き（２次元コード６付き）普通紙にコピーしても、ＩＤ情報が異なるので、たとえコピーされたものに加筆されてもその加筆内容がオリジナルに対して上書きされることはなく、データを保護できる。加えて、コードシンボルを特定の波長の入射光に対して可視域以外の光を反射するように普通紙２上に付すことは見た目上も好ましいといえる。
【００５４】
図１に示すように、デジタイザ３は、筆記面である手書き入力部７を平板状の本体ボード８の表面に有している。このデジタイザ３は、情報蓄積媒体としてのメモリ９、コンピュータ５と通信するための通信インタフェース１０、ワンチップＣＰＵ（Ｃｅｎｔｒａｌ  Ｐｒｏｃｅｓｓｉｎｇ  Ｕｎｉｔ）１１等を本体ボード８内に内蔵する形で構成され、複数枚の普通紙２の上端なる保持辺２ｕの中央部を本体ボード８上に積層させた状態で交換自在に保持する媒体保持部としての保持用クリップ１２を備えている。本体ボード８上の上端辺側には通信インタフェース１０に併設される形でＬＣＤ１４が設けられている。
【００５５】
また、デジタイザ３の左辺側には、コードシンボル読取装置であるコードリーダ１５が設けられている。このコードリーダ１５は、各普通紙２に印刷された２次元コード６（図５参照）を光学的に読取るためのものであり、２次元コード６の付された位置に対応させて読取窓３２が形成されている。
【００５６】
ここで、コードリーダ１５について詳細に説明する。図２に示すように、コードリーダ１５は、近赤外光による読取光を発する光源としてのＬＥＤ３３と、レンズ３４と、２次元コード６側からの反射光に基づきその読取り動作を光電的に行うレンズ３５とＣＣＤセンサ３６と、ＬＥＤ３３からの照射光をデジタイザ３上に載置された普通紙２の２次元コード６部分に向けて反射させるとともに２次元コード６側からの反射光をＣＣＤセンサ３６に向けて反射させるミラー３７とによりスキャン型コードリーダとして構成されている（もっとも、レーザ走査型であっても良く、また、付されたコードシンボルがバーコードであればバーコードリーダであっても良い）。
【００５７】
加えて、図３に示すように、本実施の形態のデジタイザ３の手書き入力部７の左辺側であってコードリーダ１５の近傍には、普通紙２に印刷されている識別情報（２次元コード６）とは異なる識別情報が２次元コード２０の形態で付されている。このような２次元コード２０は、予め印刷されているものでも良いし、シール等で貼り付けられているものであっても良い。このような識別情報（２次元コード２０）もデジタイザ３の左辺側に設けられたコードシンボル読取装置であるコードリーダ１５により光学的に読取り可能となっている。すなわち、デジタイザ３上に普通紙２が置かれていない場合には、２次元コード２０がコードリーダ１５により光学的に読み取られることになる。
【００５８】
デジタイザ３において、ワンチップＣＰＵ１１には、図４に示すように、手書き入力部７の検出回路１６、メモリ９、通信インタフェース１０、コードリーダ１５、ＬＣＤ１４等が接続されている。１７は各部に電力を供給する本体電源である。また、デジタイザ３は、ワンチップＣＰＵ１１が適切なプログラムに従って各種の情報処理を実行することにより、情報入力手段、情報格納手段、情報出力手段、加筆検出手段、ＩＤ認識動作制御手段等の機能を果たす。
【００５９】
情報入力手段は、ハードウェアとして手書き入力部７やワンチップＣＰＵ１１や検出回路１６などを有しており、各種情報の手書き入力を受け付ける。つまり、本体ボード８上に積層された普通紙２上で電磁ペン４を通じて手書き入力部７に文字や線などが手書き入力されると、その入力パターンを検出回路１６により検出する（受け付ける）。ここに、電磁ペン４は手書き入力している時に電磁場を放射するアクティブなペンであり、手書き入力部７に対して手書き入力する時に検出回路１６を通じて電磁誘導方式のデジタイザ３がその位置座標を検出する。この方式は、紙厚にして５ｍｍ程度は検出可能であり、或る程度の枚数の普通紙２を重ねてデジタイザ３の手書き入力部７上に置いた場合であっても、その最上位の普通紙２に対して電磁ペン４で手書き入力した内容を認識できるものである。
【００６０】
情報格納手段は、メモリ９やワンチップＣＰＵ１１を有しており、上述のように情報入力手段により受け付けられた手書き入力の各種情報を後述するようにコードリーダ１５により認識された識別情報と関連付けてワンチップＣＰＵ１１によりメモリ９に記憶させる。ここに、メモリ９としては例えば大容量のフラッシュメモリやハードディスク等が用いられている。
【００６１】
情報出力手段は、ワンチップＣＰＵ１１や通信インタフェース１０などを有しており、後述するように識別情報に応じて予め情報蓄積個所が特定されて各種情報が記憶されているコンピュータ５に対してメモリ９に記憶された手書き入力の各種情報を伝送出力させる。この場合、通信インタフェース１０としてはＲＳ−２３２ＣポートやＰＣＭＣＩＡポートといった一般的なインタフェースが用いられている。
【００６２】
加筆検出手段は、前述した情報入力手段の機能を利用して、デジタイザ３上での普通紙２に対する手書き入力操作の有無を検出する機能を実行する。具体的には、座標情報を検出するためのデジタイザ３が電磁ペン４のタッチを検出する機能により実現される。
【００６３】
ＩＤ認識動作制御手段は、加筆検出手段による手書き入力操作の検出に基づきコードリーダ１５により２次元コード６の認識動作を行わせる開始タイミング等を制御する機能を実行する。ここに、コードリーダ１５による認識動作とは、２次元コード認識のためにＬＥＤ３３を発光させることを意味し、コードリーダ１５自身の電源のオン・オフを意味するものではない。
【００６４】
なお、本実施の形態のデジタイザ３は持ち運んで任意の場所で使用することを主に想定しているので、本体電源１７としては、本体ボード８内部に内蔵されて再充電可能な２次電池を用いるのが望ましい。このような本体電源１７の消費電力を考慮し、本実施の形態では、保持用クリップ１２に電源スイッチの機能を兼用させてあり、図６に示すように、本体ボード８上に複数枚の普通紙２を積層状態で載置して保持用クリップ１２で保持することにより本体電源１７が起動されて動作可能となるように設定されている。このような機能がワンチップＣＰＵ１１による制御の下に電源起動手段により実行される。図７はその処理制御を示すフローチャートである。
【００６５】
［２．筆記システム１の一般的な機能についての説明］
このような構成において、本実施の形態の筆記システム１の一般的な使用方法について図８に示す模式図及び図９に示すフローチャートを参照して説明する。まず、図８（ａ）に示すように、コンピュータ５に格納されている各種文書データが予め印刷された複数枚の普通紙２を積層状態で（保持辺２ｕ部分が綴じられたものであっても良い）、本体ボード８上に載置し保持用クリップ１２で保持辺２ｕを固定保持する。これにより、前述した如く、電源が起動され（ステップＳ１）、コードリーダ１５が稼動し、最上位の普通紙２に印刷されている２次元コード６の情報を読み込み、そのＩＤ情報（識別情報）を認識する（ステップＳ２）。このＩＤ情報の認識に基づき、その普通紙２に印刷されている文書情報の出所等がＬＣＤ１４に表示され、ＩＤ情報が正常に読み取れたことが通知（ＩＤ読取確認通知）される（ステップＳ３）。これにより、使用者は装置が正常に機能していることを確認することができるとともに、使用者は最上位の普通紙２に印刷されている文書が何の文書であるかが分かるので、便利である。また、認識されたＩＤ情報はワンチップＣＰＵ１１によってメモリ９に格納される。なお、音やＬＥＤ等を用いてＩＤ情報が正常に読み取れたことを通知するようにしても良い。
【００６６】
このような状態で、図８（ｂ）に示すように、使用者が電磁ペン４により普通紙２上で手書き入力（加筆）すると（ステップＳ５のＹ）、手書き入力部７が電磁ペン４の動きに伴う位置情報をその検出回路１６により検出して、ワンチップＣＰＵ１１を介して加筆データとしてＩＤ情報に関連付けてメモリ９に格納する（ステップＳ６〜８）。図８（ｂ）においては、加筆情報Ａが加筆されている様子を示している。この格納処理に際して、前述したＩＤ情報に関連付けて加筆データをメモリ９に格納する。
【００６７】
図１０は、その一例として、ＩＤ＝“￥￥ＡＡ￥ＢＢ￥ＣＣ￥Ｐ１”とＩＤ＝“￥￥ＡＡ￥ＢＢ￥ＣＣ￥Ｐ２１”（ＣＣという文書の１ページ目と２ページ目）と、各々の加筆データを関連付けてメモリ９のマップ上に格納した例を示す。図示例では、２ページ目にはまだ加筆されていない。
【００６８】
次に、その下の普通紙２なる２ページ目に加筆する場合を考える。この場合、図８（ｃ）に示すように、使用者は最上位の普通紙２（１ページ目）をめくる。すると、２ページ目の普通紙２が最上位となるので、コードリーダ１５部分ではこの２ページ目の普通紙２に印刷されている２次元コード６を読み込むことができる。そこで、２ページ目のＩＤ情報を認識し、１ページ目の場合と同様に、その情報をメモリ９に格納する等の処理を行なう。同時に、この２ページ目について電磁ペン４を利用して加筆があった場合、手書き入力部７、検出回路１６等により加筆データとして認識し、そのＩＤ情報に関連付けて加筆データをメモリ９に格納する。
【００６９】
なお、本実施の形態によれば、コードリーダ１５がデジタイザ３の左辺側に位置し、普通紙２において２次元コード６が保持辺２ｕに隣接する隣接辺２Ｌ側に印刷されているので、残りの２辺である下端辺２ｄと右側辺２Ｒとは、コードリーダ１５等が配設されることなくＬ字状に連続して開放されるため、図８からも分かるように、下端辺２ｄによる普通紙２のめくり操作がしやすく、かつ、この普通紙２に対する加筆操作が行いやすい。
【００７０】
全ての作業が終了したら（ステップＳ９のＮ）、メモリ９に格納されている加筆データを対応するＩＤ情報とともに通信インタフェース１０により元々の文書のあったコンピュータ５に伝送出力する。そして、ＩＤ情報が一致するかどうかを確認しながら、ＩＤ情報が一致する場合には（ステップＳ１１のＹ）、その元の文書上に加筆データを上書きして最新のデータファイルに更新する（ステップＳ１２）。一方、ＩＤ情報が一致しない場合には（ステップＳ１１のＮ）、別のコンピュータ内の文書データである可能性が高いので、その旨をＬＣＤ１４を通じて使用者に知らせる（ステップＳ１３）。
【００７１】
ちなみに、文書データの元々の格納個所が外部のコンピュータ５ではなく、ハードディスク等のデジタイザ３自身のメモリ９である場合も同様に可能であり、メモリ９に格納されている加筆データを対応するＩＤ情報とともに出力し、ＩＤ情報が一致するかどうかを確認しながら、ＩＤ情報が一致する場合には、その元の文書上に加筆データを上書きして最新のデータファイルに更新する一方、ＩＤ情報が一致しない場合には別のコンピュータ等に格納された文書データである可能性が高いので、その旨をＬＣＤ１４を通じて使用者に知らせるようにしても良い。
【００７２】
［３．筆記システム１の特殊機能についての説明］
次に、本実施の形態の筆記システム１の特殊機能について説明する。
【００７３】
［３−１．紙載置認識機能についての説明］
前述したように、本実施の形態の筆記システム１においては、デジタイザ３の手書き入力部７の左辺側であってコードリーダ１５の近傍に、普通紙２に印刷されている識別情報（２次元コード６）とは異なる識別情報が２次元コード２０の形態で付されている。このような識別情報（２次元コード２０）をコードリーダ１５の近傍に付すことにより、識別情報（２次元コード６）が印刷された普通紙２がデジタイザ３上に載置されていない状態であっても（図３参照）、コードリーダ１５によって識別情報（２次元コード２０）が読み取られることになる。
【００７４】
ここで、図１１は紙載置認識処理の流れを示すフローチャートである。図１１の紙載置認識処理は図９に示した処理の一部を構成する。ワンチップＣＰＵ１１は、図１１に示すように、コードリーダ１５により読み取られた２次元コードをデコードしてＩＤ情報（識別情報）を検出した後（図９中、ステップＳ２：コードシンボル読取手段）、このＩＤ情報がデジタイザ３上に付された２次元コード２０を読み取ったＩＤか、普通紙２に印刷されている２次元コード６を読み取ったＩＤかを判断する（ステップＳ２０）。
【００７５】
普通紙２に印刷されている２次元コード６を読み取ったＩＤであった場合には（ステップＳ２０のＹ）、図９に示したステップＳ３〜Ｓ１３の処理を行う。
【００７６】
一方、デジタイザ３上に付された２次元コード２０を読み取ったＩＤであった場合には（ステップＳ２０のＮ）、２次元コード６が印刷された普通紙２がデジタイザ３上に載置されていない状態と判断し、そのまま処理を終了する。
【００７７】
なお、このように２次元コード６が印刷された普通紙２がデジタイザ３上に載置されていない状態であると判断した場合には、デジタイザ３における座標検出を中止し、筆記座標の取得を抑制するようにしても良い。これにより、省電力化が図られることになる。また、デジタイザ３上に付された識別情報（２次元コード２０）のＩＤ情報が正常に読み取れた場合については、普通紙２に印刷されている２次元コード６のＩＤ情報が正常に読み取れた場合とは異なり、ＩＤ読取確認通知を行わなくとも良い。これにより、煩わしさがなくなる。さらに、このように２次元コード６が印刷された普通紙２がデジタイザ３上に載置されていない状態であると判断した場合には、装置を休止状態にするようにしても良い。このとき、装置全体を休止状態にしてもかまわないが、装置全体を休止状態にした場合は、別途スイッチ等を用いて明示的に復帰させなくてはならないので、装置の一部のみを休止状態にした方が望ましい。例えば、筆記座標を取得する手書き入力部７及び検出回路１６であるとか通信インタフェース１０のみを休止状態にして、紙面上のＩＤが入力されたときに、自動的にシステム全体が元の状態に復帰する構成の方が望ましい。休止状態にする方法は既に公知であるが、例えば手書き入力部７及び検出回路１６のみ休止状態にする場合、単純にこの部分のみ電源断とし、復帰する際には電源入とした後、ハードウェア的にはＩＣのリセット信号を入力したり、ソフトウェア的には例えばバッファをクリアする等の処置をすれば良い。これにより、省電力化が図られることになる。ここに、第二処理動作実行手段が実現されている。
【００７８】
なお、照明条件や普通紙２のずれ等により普通紙２に印刷された識別情報（２次元コード６）の読み取りを失敗した場合には普通紙２に印刷されている文書情報の出所等が特定できないのでその後の処理ができなくなることから、その旨を警告（ＬＣＤ１４に表示する等）するようにすることができるが、２次元コード２０をコードリーダ１５の近傍に付すことにより、普通紙２がデジタイザ３上に載置されていない場合にまで警告が発せられるような事態を回避することが可能になる。
【００７９】
［３−２．設定値変更機能についての説明］
このような筆記システム１において、さまざまな設定内容を変更したいことがある。例えば、筆記システム１と外部のコンピュータ５の通信にＲＳ−２３２Ｃを用いている場合、そのボーレートやパリティービットの有無の設定などが考えられる。あるいは、時計を内蔵している場合にはその時刻を設定したい場合もある。通常、このような設定にはボタンや表示装置などの組み合わせにより行われる場合や、外部にコンピュータ等を接続してそこから行う場合が一般的である。しかしながら、ボタンや表示装置を設置すると、サイズ、重量、消費電力の点で問題があり、コンピュータ接続して設定しようにも、この接続用の設定はそもそもできない。
【００８０】
そこで、本実施の形態の筆記システム１においては、図１２に示すような設定シートＳ１を用いることにより、さまざまな設定内容を変更することができるようにしたものである。図１２は、ＲＳ−２３２Ｃのボーレートを変更するための設定シートＳ１を例示的に示すものである。設定シートＳ１は、普通紙２またはそれに類するシート状もしくはカード状のものであり、コードリーダ１５で読み取りが可能な識別情報（２次元コード４０）が印刷等により付されている。このような識別情報（２次元コード４０）は、保持用クリップ１２に保持された状態でコードリーダ１５の近傍に位置するように形成されている。また、４１はこの設定シートＳ１によって何が設定されるかを印刷したもので、これは使用者が見て判断するものである。
【００８１】
ここで、図１３は設定値変更処理の流れを示すフローチャートである。図１３の設定値変更処理は図９に示した処理の一部を構成する。ワンチップＣＰＵ１１は、図１３に示すように、コードリーダ１５により読み取られた２次元コードをデコードしてＩＤ情報を検出した後（図９中、ステップＳ２：コードシンボル読取手段）、このＩＤ情報が設定値変更用のＩＤであった場合には（ステップＳ３０のＹ：判断手段）、２次元コード４０が印刷された設定シートＳ１がデジタイザ３上に載置されている状態であると判断し、ＩＤに従って設定値を変更する（ステップＳ３１：処理動作実行手段）。
【００８２】
例えば、ＩＤ番号が“１０１”の場合には、通信ポート（ＲＳ−２３２Ｃ）のボーレートを「９６００」にすると予め定められている場合について説明する。すなわち、検出されたＩＤ番号が“１０１”の場合には、通信条件をボーレート「９６００」に変更するものである。
【００８３】
なお、設定変更用のＩＤは１つに限るものではなく、複数であっても同じ構成で実現できる。すなわち、ＩＤ番号が“１０２”の場合には、通信ポート（ＲＳ−２３２Ｃ）のボーレートを「４８００」にすると予め定めるようにすれば、検出されたＩＤ番号が“１０２”の場合には、通信条件をボーレート「４８００」に変更することができる。さらに、このような特殊な処理を行ったときは、使用者に何らかの方法で知らせた方がより望ましく、その旨をＬＣＤ１４を通じて使用者に知らせるようにしても良い。
【００８４】
なお、ＩＤ情報が設定値変更用のＩＤでなかった場合には（ステップＳ３０のＮ）、前述したようなデジタイザ３上に付された識別情報（２次元コード２０）又は普通紙２に印刷されている識別情報（２次元コード６）に応じた処理を実行する。
【００８５】
一方、本実施の形態の筆記システム１においては、図１４に示すような設定シートＳ２を用いることにより、さまざまな設定内容を変更することもできる。図１４は、ＲＳ−２３２Ｃのボーレートを変更するための設定シートＳ２を例示的に示すものである。設定シートＳ２は、普通紙２またはそれに類するシート状もしくはカード状のものであり、コードリーダ１５で読み取りが可能な識別情報（２次元コード４０）が印刷等により付されている。このような識別情報（２次元コード４０）は、保持用クリップ１２に保持された状態でコードリーダ１５の近傍に位置するように形成されている。また、４１はこの設定シートＳ２によって設定する内容の一覧を印刷してあるもので、これは使用者が見て判断するものである。さらに、４２は設定内容一覧４１から一の設定内容を選択する部分であり、各設定内容に対応したチェックボックスである。使用者は、設定内容一覧４１から一の設定内容を選択すると、このチェックボックス４２に対して所定の内容（例えば、×印Ｂ）をデジタイザ３上で電磁ペン４を用いて筆記する。
【００８６】
ここで、図１５は設定値変更処理の流れを示すフローチャートである。図１５の設定値変更処理は図９に示した処理の一部を構成する。ワンチップＣＰＵ１１は、図１５に示すように、コードリーダ１５により読み取られた識別情報（２次元コード）をデコードしてＩＤ情報を検出した後（図９中、ステップＳ２：コードシンボル読取手段）、このＩＤ情報が設定値変更用のＩＤであった場合には（ステップＳ４０のＹ：判断手段）、２次元コード４０が印刷された設定シートＳ２がデジタイザ３上に載置されている状態であると判断し、ＩＤに従って設定値を変更する（ステップＳ４１〜Ｓ４３：処理動作実行手段）。
【００８７】
ここで、例えばＩＤ番号が“１０１”の場合には「通信ポート（ＲＳ−２３２Ｃ）のボーレートを変更する」と予め定められている場合の設定値の変更について具体的に説明する。ＩＤ番号が“１０１”の場合は、設定値変更用のＩＤであるので（ステップＳ４０のＹ）、ステップＳ４１に進み、設定シートＳ２に電磁ペン４により筆記された筆記軌跡（例えば、×印Ｂ）を取得する。このような筆記軌跡の取得は、加筆検出手段により実現されている。次いで、取得した筆記軌跡に基づいて設定内容を認識する（ステップＳ４２）。図１４に示した例では、設定シートＳ２のボーレート「２４００」のチェックボックス４２に×印Ｂを筆記している。どのチェックボックス４２に筆記されたかは筆記軌跡の座標から判断することができるので、設定内容を認識することができる。図１４に示した設定シートＳ２の例では各設定内容に対応してチェックボックス４２が設けられているので、そのチェックボックス４２の中に何らかの筆記が行われたかどうかの判定を行えば十分である。最後に、この認識結果に基づいて設定値を変更する（ステップＳ４３）。すなわち、設定シートＳ２のＩＤ番号が“１０１”の場合であってボーレート「２４００」のチェックボックス４２に×印が筆記されれば、通信条件をボーレート「２４００」に変更するものである。
【００８８】
なお、設定変更用のＩＤは１つに限るものではなく、複数であっても同じ構成で実現できる。すなわち、ＩＤ番号が“１０２”の場合には、パリティを変更するような処理を行わせれば良い。
【００８９】
ＩＤ情報が設定値変更用のＩＤでなかった場合には（ステップＳ４０のＮ）、前述したようなデジタイザ３上に付された識別情報（２次元コード２０）又は普通紙２に印刷されている識別情報（２次元コード６）に応じた処理を実行する。
【００９０】
［３−３．使用者情報入力機能についての説明］
このような筆記システム１においては、セキュリティ上、使用者を特定したいことがある。例えば、ある文書に対して加筆がなされた場合に、誰が加筆したのかを知りたい場合である。そこで、本実施の形態の筆記システム１においては、図１６に示すような設定シートＳ３を用いることにより、筆記システム１の使用者の情報を入力することができるようにしたものである。図１６は、使用者情報を入力するための設定シートＳ３を例示的に示すものである。設定シートＳ３は、普通紙２またはそれに類するシート状もしくはカード状のものであり、コードリーダ１５で読み取りが可能な識別情報（２次元コード５０）が印刷等により付されている。このような識別情報（２次元コード５０）は、保持用クリップ１２に保持された状態でコードリーダ１５の近傍に位置するように形成されている。また、５１はこの設定シートＳ３によって入力される使用者の名前を印刷したもので、これは使用者が見て判断するものである。
【００９１】
ここで、図１７は使用者情報入力処理の流れを示すフローチャートである。図１７の使用者情報入力処理は図９に示した処理の一部を構成する。ワンチップＣＰＵ１１は、図１７に示すように、コードリーダ１５により読み取られた２次元コードをデコードしてＩＤ情報を検出した後（図９中、ステップＳ２：コードシンボル読取手段）、このＩＤ情報が使用者情報入力用のＩＤであった場合には（ステップＳ５０のＹ：判断手段）、２次元コード５０が印刷された設定シートＳ３がデジタイザ３上に載置されている状態であると判断し、ＩＤに従って使用者情報を入力する（ステップＳ５１：処理動作実行手段）。
【００９２】
例えば、ＩＤ番号が“２０１”の場合には、使用者が「Ａさん」であると予め定められている場合について説明する。すなわち、検出されたＩＤ番号が“２０１”の場合には、メモリ９の所定領域に使用者情報「Ａさん」を設定する。あるいは、ＩＤ番号をメモリ９の所定領域に記憶する。このような使用者情報またはＩＤ番号は、後にコンピュータ５に筆記データを送信する際に同時に送信することにより、筆記内容と使用者の関連付けをすることができる。ＩＤ番号のみを記憶していた場合はコンピュータ５側で使用者を特定する。ＩＤ番号と使用者の対応をテーブルの形で持っておけば容易に特定が可能であり、また変更することもできる。
【００９３】
なお、ＩＤ情報が設定値変更用のＩＤでなかった場合には（ステップＳ５０のＮ）、前述したようなデジタイザ３上に付された識別情報（２次元コード２０）又は普通紙２に印刷されている識別情報（２次元コード６）に応じた処理等を実行する。
【００９４】
一方、本実施の形態の筆記システム１においては、図１８に示すような設定シートＳ４を用いることにより、筆記システム１の使用者の情報を入力することもできる。図１８は、使用者情報を入力するための設定シートＳ４を例示的に示すものである。設定シートＳ４は、普通紙２またはそれに類するシート状もしくはカード状のものであり、コードリーダ１５で読み取りが可能な識別情報（２次元コード５０）が印刷等により付されている。このような識別情報（２次元コード５０）は、保持用クリップ１２に保持された状態でコードリーダ１５の近傍に位置するように形成されている。また、５２はこの設定シートＳ４によって入力される使用者の氏名を記入させるための氏名記入エリアである。使用者はこの氏名記入エリア５２に対して使用者の名前をデジタイザ３上で電磁ペン４を用いて筆記する。なお、氏名記入エリア５２に代えて、使用者一覧から一の使用者を選択するように各使用者に対応したチェックボックスを設けるようにしても良いが、使用者の氏名を直接筆記させるほうがセキュリティ上より望ましい。
【００９５】
ここで、図１９は使用者情報入力処理の流れを示すフローチャートである。図９７の使用者情報入力処理は図９に示した処理の一部を構成する。ワンチップＣＰＵ１１は、図１９に示すように、コードリーダ１５により読み取られた２次元コードをデコードしてＩＤ情報を検出した後（図９中、ステップＳ２：コードシンボル読取手段）、このＩＤ情報が使用者情報入力用のＩＤであった場合には（ステップＳ６０のＹ：判断手段）、２次元コード５０が印刷された設定シートＳ４がデジタイザ３上に載置されている状態であると判断し、ＩＤに従って使用者情報を入力する（ステップＳ６１〜Ｓ６３：処理動作実行手段）。
【００９６】
ここで、例えばＩＤ番号が“２０１”の場合には「使用者を入力する」と予め定められている場合の使用者情報の入力について具体的に説明する。ＩＤ番号が“２０１”の場合は、使用者情報入力用のＩＤであるので（ステップＳ６０のＹ）、ステップＳ６１に進み、設定シートＳ４の氏名記入エリア５２に電磁ペン４により筆記された筆記軌跡（使用者の氏名）を取得する。このような筆記軌跡の取得は、加筆検出手段により実現されている。次いで、取得した筆記軌跡に基づいて使用者の氏名を認識する（ステップＳ６２）。使用者氏名の認識は、公知の文字認識技術により実現できるため、詳細な説明は省略する。また、取得した筆記軌跡に基づいて筆者識別も可能である。このような筆記軌跡に基づく筆者識別技術も、公知技術により実現できるため、詳細な説明は省略する。最後に、この認識結果に基づいて使用者情報をメモリ９の所定領域に入力する（ステップＳ６３）。
【００９７】
なお、ＩＤ情報が設定値変更用のＩＤでなかった場合には（ステップＳ６０のＮ）、前述したようなデジタイザ３上に付された識別情報（２次元コード２０）又は普通紙２に印刷されている識別情報（２次元コード６）に応じた処理等を実行する。
【００９８】
ところで、上述したような使用者情報入力処理が終了するまでは、図９に示したような処理（文書ＩＤの取得や筆記軌跡の取得等）を行わないようにしたほうが良い。すなわち、使用者情報が入力されていない場合には、筆記システム１においては筆記入力という本来の動作を行わないので、確実に誰が筆記したかを取得することが可能となる。なお、使用者情報が入力済みであるかどうかは、メモリ９の所定領域を参照することにより判定可能である。また、使用者情報が入力されてない場合に図９に示したような処理（文書ＩＤの取得や筆記軌跡の取得等）を実行しようとしたような場合には、その旨をＬＣＤ１４を通じて使用者に知らせるようにしたり、音やＬＥＤ等により警告等を発するようにするのがより望ましい。
【００９９】
また、使用者情報入力処理により使用者情報が入力された場合であっても、一定時間が経過した場合には、再度使用者情報入力処理により使用者情報の入力を要求するようにしても良い。この場合、使用者情報を入力する際に、その入力が行われた時間も同時に入力し、この時間を基準として一定時間が経過したかどうかを判断するようにすれば良い。これにより、いったん使用者情報を入力した後に放置した場合であっても、別人によるなりすまし使用を防ぐことができる。
【０１００】
さらに、使用者情報入力処理により使用者情報が入力された場合であっても、一定時間内に何らかの操作が実行されない場合には、再度使用者情報入力処理により使用者情報の入力を要求するようにしても良い。この場合、図９に示したような処理（文書ＩＤの取得や筆記軌跡の取得等）を行う際に、文書ＩＤの取得や筆記軌跡の取得がなされた時間も同時に入力し、この時間を基準として一定時間が経過したかどうかを判断するようにすれば良い。これにより、いったん使用者情報を入力した後に放置した場合であっても、別人によるなりすまし使用を防ぐことができる。
【０１０１】
なお、本実施の形態においては、２次元コード等の識別情報を普通紙２の左辺２Ｌの近傍に付すようにしたが、保持用クリップ１２により固定保持される保持辺２ｕ部分以外であれば、側縁付近の一部等に付すようにしてもよい。コードリーダ１５等のコードシンボル読取装置に関しても、識別情報を付す位置に応じて適宜対応する個所に配設すれば良く、或いは、位置変位自在に設けるようにしても良い。
【０１０２】
【発明の効果】
請求項１記載の発明の情報入力装置によれば、筆記装置の移動に伴う筆記情報を電子化する情報入力装置において、識別情報を格納したコードシンボルが付されたシート状の情報表示媒体を保持し、前記筆記装置の移動を許容する筆記面と、前記コードシンボルを光学的に読み取り可能なコードシンボル読取装置と、前記筆記面上に保持された前記情報表示媒体に形成された前記コードシンボルを、前記コードシンボル読取装置を用いて読み取るコードシンボル読取手段と、このコードシンボル読取手段により読み取られた前記情報表示媒体に形成された前記コードシンボルに格納された前記識別情報が所定の処理動作に対応付けられているか否かを判断する判断手段と、この判断手段により読み取った前記識別情報が所定の処理動作に対応付けられていると判断した場合、当該識別情報に対応付けられている所定の処理動作を実行する処理動作実行手段と、を備え、情報表示媒体を筆記面上に保持し、この情報表示媒体に形成されたコードシンボルをコードシンボル読取装置により読み取った場合には、コードシンボルに格納された識別情報が所定の処理動作に対応付けられているか否かを判断し、読み取られたコードシンボルの識別情報が所定の処理動作に対応付けられていると判断した場合には、当該識別情報に対応付けられている所定の処理動作を実行することにより、筆記面上に情報表示媒体を保持するだけで所定の処理動作を実行することができるので、使い勝手の良い装置を提供することができる。
【０１０３】
請求項２記載の発明によれば、請求項１記載の情報入力装置において、前記処理動作実行手段により実行される前記識別情報に対応付けられている所定の処理動作は、当該装置に関する設定値を変更する設定値変更処理であることにより、筆記面上に情報表示媒体を保持させ、この情報表示媒体に形成されたコードシンボルをコードシンボル読取装置に読み取らせるだけで、当該装置に関する設定値を変更することができる。
【０１０４】
請求項３記載の発明によれば、請求項２記載の情報入力装置において、前記設定値変更処理により変更される設定値は前記識別情報により一義的に決定されることにより、設定値を確実に変更することができる。
【０１０５】
請求項４記載の発明によれば、請求項２記載の情報入力装置において、前記設定値変更処理により変更される設定値は前記識別情報により複数の設定値が選択可能とされており、前記筆記面上での前記情報表示媒体に対する筆記情報に応じて設定値が決定されることにより、設定値を選択的に変更することができる。
【０１０６】
請求項５記載の発明によれば、請求項１記載の情報入力装置において、前記処理動作実行手段により実行される前記識別情報に対応付けられている所定の処理動作は、当該装置を使用する使用者情報を入力する使用者情報入力処理であることにより、筆記面上に情報表示媒体を保持させ、この情報表示媒体に形成されたコードシンボルをコードシンボル読取装置に読み取らせるだけで、当該装置を使用する使用者情報を入力することができる。
【０１０７】
請求項６記載の発明によれば、請求項５記載の情報入力装置において、前記使用者情報入力処理により入力される使用者情報は前記識別情報により一義的に決定されることにより、使用者情報を確実に入力することができる。
【０１０８】
請求項７記載の発明によれば、請求項５記載の情報入力装置において、前記使用者情報入力処理により入力される使用者情報は前記識別情報により複数の使用者情報が選択可能とされており、前記筆記面上での前記情報表示媒体に対する筆記情報に応じて使用者情報が決定されることにより、使用者情報を選択的に入力することができる。
【０１０９】
請求項８記載の発明によれば、請求項５記載の情報入力装置において、前記筆記面上での前記情報表示媒体に対する筆記情報に応じて前記使用者情報入力処理により入力される使用者情報が決定されることにより、使用者の氏名が直接筆記されるので、セキュリティの向上を図ることができる。
【０１１０】
請求項９記載の発明によれば、請求項５記載の情報入力装置において、前記使用者情報入力処理により使用者情報が入力されるまで、筆記情報の取得を中止することにより、誰が筆記したかということを確実に取得することができる。
【０１１１】
請求項１０記載の発明によれば、請求項９記載の情報入力装置において、前記使用者情報入力処理により使用者情報が入力された場合であっても、一定時間が経過した場合には、前記使用者情報入力処理により再度使用者情報の入力を要求することにより、いったん使用者情報を入力した後に放置した場合であっても、別人によるなりすまし使用を防ぐことができる。
【０１１２】
請求項１１記載の発明によれば、請求項９記載の情報入力装置において、前記使用者情報入力処理により使用者情報が入力された場合であっても、一定時間内に何らかの操作が実行されない場合には、前記使用者情報入力処理により再度使用者情報の入力を要求することにより、いったん使用者情報を入力した後に放置した場合であっても、別人によるなりすまし使用を防ぐことができる。
【０１１３】
請求項１２記載の発明によれば、請求項１ないし１１のいずれか一記載の情報入力装置において、前記筆記面上に、前記筆記面である旨を示す識別情報を格納したコードシンボルを付すことにより、筆記面上に形成された筆記面である旨を示す識別情報を格納したコードシンボルは、筆記面上に情報表示媒体がない場合に限って読み取られることになるので、例えば情報表示媒体が筆記面上にない場合にまで読み取り失敗についての警告が発せられるような事態を回避することができる。
【０１１４】
請求項１３記載の発明によれば、請求項１２記載の情報入力装置において、前記コードシンボル読取手段により読み取られた前記コードシンボルの前記識別情報が前記筆記面である旨を示す識別情報であると判断した場合、前記情報表示媒体が保持されていないことに対応した所定の処理動作を実行する第二処理動作実行手段を備え、読み取られたコードシンボルの識別情報が筆記面である旨を示す識別情報であると判断した場合には、情報表示媒体が保持されていないことに対応した所定の処理動作を実行することにより、筆記面上に情報表示媒体が保持されていない場合には情報表示媒体が保持されていないことに対応した所定の処理動作のみを実行することになるので、使い勝手の良い装置を提供することができる。
【０１１５】
請求項１４記載の発明によれば、請求項１３記載の情報入力装置において、前記第二処理動作実行手段により実行される所定の処理動作は、筆記情報の取得を中止する座標検出中止処理であることにより、省電力化が図られることになる。
【０１１６】
請求項１５記載の発明によれば、請求項１３記載の情報入力装置において、前記第二処理動作実行手段により実行される所定の処理動作は、識別情報読取確認の通知を中止する読取確認通知中止処理であることにより、煩わしさがなくなる。
【０１１７】
請求項１６記載の発明によれば、請求項１３記載の情報入力装置において、前記第二処理動作実行手段により実行される所定の処理動作は、装置の休止状態にする休止処理であることにより、省電力化が図られることになる。
【０１１８】
請求項１７記載の発明の情報表示媒体によれば、シート状に形成され、所定の処理動作が対応付けられている識別情報を格納したコードシンボルが付されていることにより、このような情報表示媒体を情報入力装置の筆記面上に保持し、この情報表示媒体に形成されたコードシンボルがコードシンボル読取装置により読み取るだけで、情報入力装置で所定の処理動作を実行することができる。
【図面の簡単な説明】
【図１】本発明の実施の一形態の筆記システムの概要を示す外観斜視図である。
【図２】図１（ａ）におけるａ−ａ線断面構成図である。
【図３】デジタイザ（タブレット）を示す外観斜視図である。
【図４】ハードウェア構成を示すブロック図である。
【図５】２次元コードが印刷された状態の普通紙を示す斜視図である。
【図６】電源起動構造を示す概略側面図である。
【図７】その動作例を示すフローチャートである。
【図８】筆記システムの使用例の概要を示す外観斜視図である。
【図９】全体的な処理制御例を示すフローチャートである。
【図１０】メモリマップの概要を示す説明図である。
【図１１】紙載置認識処理の流れを示すフローチャートである。
【図１２】ＲＳ−２３２Ｃのボーレートを変更するための設定シートを例示的に示す平面図である。
【図１３】設定値変更処理の流れを示すフローチャートである。
【図１４】ＲＳ−２３２Ｃのボーレートを変更するための設定シートを例示的に示す平面図である。
【図１５】設定値変更処理の流れを示すフローチャートである。
【図１６】使用者情報を入力するための設定シートを例示的に示す平面図である。
【図１７】使用者情報入力処理の流れを示すフローチャートである。
【図１８】使用者情報を入力するための設定シートを例示的に示す平面図である。
【図１９】使用者情報入力処理の流れを示すフローチャートである。
【図２０】従来の筆記システムの概要を示す外観斜視図である。
【図２１】その概略側面図である。
【図２２】異なる従来例の筆記システムの概要を示す外観斜視図である。
【図２３】その概略側面図である。
【符号の説明】
３        情報入力装置
４        筆記装置
７        筆記面
１５      コードシンボル読取装置
２０      筆記面のコードシンボル
４０，５０      コードシンボル
Ｓ１〜Ｓ４      情報表示媒体
【図１】
2005037981.tif 000003
【図２】
2005037981.tif 000004
【図３】
2005037981.tif 000005
【図４】
2005037981.tif 000006
【図５】
2005037981.tif 000007
【図６】
2005037981.tif 000008
【図７】
2005037981.tif 000009
【図８】
2005037981.tif 000010
【図９】
2005037981.tif 000011
【図１０】
2005037981.tif 000012
【図１１】
2005037981.tif 000013
【図１２】
2005037981.tif 000014
【図１３】
2005037981.tif 000015
【図１４】
2005037981.tif 000016
【図１５】
2005037981.tif 000017
【図１６】
2005037981.tif 000018
【図１７】
2005037981.tif 000019
【図１８】
2005037981.tif 000020
【図１９】
2005037981.tif 000021
【図２０】
2005037981.tif 000022
【図２１】
2005037981.tif 000023
【図２２】
2005037981.tif 000024
【図２３】
2005037981.tif 000025